(57)【要約】【課題】本発明は照明器具に関し、磁性体コアの温度上昇を抑制できる照明器具を得ることを目的とする。【解決手段】本発明に係る照明器具は、光源と、該光源を点灯させる第１電源装置と、該光源を保持する支持体と、磁性体コアと、該第１電源装置と接続され、該磁性体コアに巻き付けられた第１電線と、該磁性体コアを該支持体から離して保持する固定部材と、を備える。【選択図】図３
2020202161.tif 000002
【特許請求の範囲】
【請求項１】
光源と、
前記光源を点灯させる第１電源装置と、
前記光源を保持する支持体と、
磁性体コアと、
前記第１電源装置と接続され、前記磁性体コアに巻き付けられた第１電線と、
前記磁性体コアを前記支持体から離して保持する固定部材と、
を備えることを特徴とする照明器具。
【請求項２】
前記支持体は、前記光源が設けられた第１面と、前記第１面と反対側の第２面と、を有し、
前記固定部材は、前記第２面から前記第１面と離れる方向に延びる第１部分を有し、
前記磁性体コアは、前記第１部分に固定されることを特徴とする請求項１に記載の照明器具。
【請求項３】
前記固定部材は、前記第２面に沿って延びる第２部分を有し、
前記第１部分は前記第２部分から延び、
前記第１電源装置は、前記第２部分の上に設けられることを特徴とする請求項２に記載の照明器具。
【請求項４】
前記第１電源装置は、前記第１部分に対して前記磁性体コアと反対側に設けられることを特徴とする請求項２または３に記載の照明器具。
【請求項５】
前記固定部材は、前記支持体よりも熱伝導率が低いことを特徴とする請求項１から４の何れか１項に記載の照明器具。
【請求項６】
外部電源から電力が入力される入力部を備え、
前記第１電線は、前記第１電源装置と前記入力部とを接続する電線を含むことを特徴とする請求項１から５の何れか１項に記載の照明器具。
【請求項７】
前記第１電線は、前記第１電源装置と前記光源とを接続する電線を含むことを特徴とする請求項１から６の何れか１項に記載の照明器具。
【請求項８】
外部から信号が入力される信号入力部を備え、
前記第１電線は、前記第１電源装置と前記信号入力部とを接続する電線を含むことを特徴とする請求項１から７の何れか１項に記載の照明器具。
【請求項９】
前記光源を点灯させる第２電源装置と、
前記第２電源装置と接続され、前記磁性体コアに前記第１電線と同方向に巻き付けられた第２電線と、
を備えることを特徴とする請求項１から８の何れか１項に記載の照明器具。
【請求項１０】
前記磁性体コアは、前記第１電源装置と前記第２電源装置との間に設けられることを特徴とする請求項９に記載の照明器具。
【発明の詳細な説明】
【技術分野】
【０００１】
本発明は、照明器具に関する。
【背景技術】
【０００２】
特許文献１には、インバータ装置が開示されている。このインバータ装置では、フェライトコアに各相に対応するケーブルをコモンモードコイルとして巻回して、フィルターユニットを構成している。インバータ装置の筐体には、フィルターユニット収容用の凹部が形成される。この凹部は、導風路に開放されている。
【先行技術文献】
【特許文献】
【０００３】
【特許文献１】特許第５４９９７９５号公報
【発明の概要】
【発明が解決しようとする課題】
【０００４】
一般に、フェライトリングコアは温度が上昇するとノイズの低減効果が低下する。特許文献１の構成では、フェライトリングコアの冷却のために、導風路にコアを配置する。このため、フェライトリングコアの配置場所が制約されるおそれがある。また、照明器具においては、点灯装置をケースで囲むことがある。この場合、点灯装置の内部に導風路を設けることが難しいことが考えられる。
【０００５】
また、照明器具では、光源が発する熱を放熱フィンなどにより放熱することがある。このとき、光源の発熱量が大きい場合、フェライトリングコアを放熱フィンに接触させると、光源から発せられた熱がコアに伝熱するおそれがある。
【０００６】
本発明は、上述の課題を解決するためになされたもので、磁性体コアの温度上昇を抑制
できる照明器具を得ることを目的とする。
【課題を解決するための手段】
【０００７】
本発明に係る照明器具は、光源と、該光源を点灯させる第１電源装置と、該光源を保持する支持体と、磁性体コアと、該第１電源装置と接続され、該磁性体コアに巻き付けられた第１電線と、該磁性体コアを該支持体から離して保持する固定部材と、を備える。
【発明の効果】
【０００８】
本発明に係る照明器具では、磁性体コアが支持体から離して保持される。従って、磁性体コアの温度上昇を抑制できる。
【図面の簡単な説明】
【０００９】
【図１】実施の形態１に係る照明器具の斜視図である。
【図２】実施の形態１に係る照明器具の平面図である。
【図３】実施の形態１に係る照明器具の正面図である。
【図４】実施の形態１の第１の変形例に係る照明器具の平面図である。
【図５】実施の形態１の第２の変形例に係る照明器具の平面図である。
【図６】妨害波電力のノイズ測定の結果の一例を説明する図である。
【図７】実施の形態２に係る照明器具の平面図である。
【図８】実施の形態３に係る照明器具の平面図である。
【発明を実施するための形態】
【００１０】
本発明の実施の形態に係る照明器具について図面を参照して説明する。同じ又は対応する構成要素には同じ符号を付し、説明の繰り返しを省略する場合がある。
【００１１】
実施の形態１．
図１は、実施の形態１に係る照明器具１の斜視図である。照明器具１は、光源２と、電源装置４と、放熱フィン３を備える。光源２はＬＥＤなどの発光素子を有する。光源２は第１光源２ａと第２光源２ｂを含む。
【００１２】
電源装置４は、光源２を点灯させる点灯装置である。電源装置４は、光源２に供給する電力を制御する。
【００１３】
放熱フィン３は、光源２が設けられた第１面３ａと、第１面３ａと反対側の第２面３ｂとを有する。放熱フィン３は、光源２を保持する支持体に該当する。放熱フィン３は、光源２が発する熱を放熱させる。また、放熱フィン３は、電源装置４が発する熱を放熱させても良い。放熱フィン３は、例えば金属から形成される。
【００１４】
図２は、実施の形態１に係る照明器具１の平面図である。電源装置４は、第１電源装置６と第２電源装置７を含む。第１電源装置６は第１光源２ａを点灯させる。第２電源装置７は第２光源２ｂを点灯させる。なお、図１に示されるように、第１電源装置６、第２電源装置７および後述する磁性体コア１２はケース４ａに収納される。ケース４ａは例えば金属から形成される。図２では便宜上、ケース４ａは省略されている。
【００１５】
放熱フィン３の第２面３ｂには、第１電源装置６、第２電源装置７および入力部５が設けられる。第１電源装置６と第２電源装置７は、第１面３ａの長手方向に並ぶ。入力部５は第２電源装置７に隣接して設けられる。入力部５には外部電源から電力が入力される。外部電源は例えば商用交流電源である。
【００１６】
第１電源装置６では、第１基板６ｃ上に第１入力端子６ａ、第１出力端子６ｂ、第１点灯回路、第１制御部等が形成される。一対の第１入力配線８は、第１入力端子６ａと入力部５とを接続する。第１点灯回路は、第１入力端子６ａを介して外部電源から電力の供給を受け、第１光源２ａを点灯させる電力を生成する。第１点灯回路は、入力部５から供給される入力電圧を目標とする電力に変換して第１光源２ａに供給する。第１制御部は、第１点灯回路を制御する。第１点灯回路は、例えばスイッチング電源回路である。スイッチング電源回路は、昇圧チョッパ回路およびバックコンバータ回路等を含む。第１点灯回路の出力電力は、第１出力端子６ｂから出力される。第１出力端子６ｂは、第１出力配線１０によって第１光源２ａに接続される。これにより、第１光源２ａが点灯する。
【００１７】
第２電源装置７では、第２基板７ｃ上に第２入力端子７ａ、第２出力端子７ｂ、第２点灯回路、第２制御部等が形成される。一対の第２入力配線９は、第２入力端子７ａと入力部５とを接続する。第２点灯回路は、第２入力端子７ａを介して外部電源から電力の供給を受け、第２光源２ｂを点灯させる電力を生成する。第２点灯回路は、入力部５から供給される入力電圧を目標とする電力に変換して第２光源２ｂに供給する。第２制御部は、第２点灯回路を制御する。第２点灯回路は、例えばスイッチング電源回路である。第２点灯回路の出力電力は、第２出力端子７ｂから出力される。第２出力端子７ｂは、第２出力配線１１によって第２光源２ｂに接続される。これにより、第２光源２ｂが点灯する。
【００１８】
照明器具１には、ノイズを抑制するための磁性体コア１２が設置されるスペースが設けられる。磁性体コア１２は、第１電源装置６と第２電源装置７の間に設けられる。第１入力配線８と第２入力配線９は、１つの磁性体コア１２に同方向に巻きつけられる。第１入力配線８は、第１電源装置６と接続され、磁性体コア１２に巻き付けられた第１電線に該当する。第２入力配線９は、第２電源装置７と接続され、磁性体コア１２に第１電線と同方向に巻き付けられた第２電線に該当する。
【００１９】
一般に、電子機器からのノイズは規制されている。このため、ＥＭＣ（Ｅｌｅｃｔｒｏｍａｇｎｅｔｉｃ  Ｃｏｍｐａｔｉｂｉｌｉｔｙ）対策として照明器具にノイズフィルタが内蔵されることがある。磁性体コア１２は、このようなノイズフィルタとして設けられている。
【００２０】
磁性体コア１２は環状である。磁性体コア１２は、例えばフェライトから形成される。磁性体コア１２はフェライトリングまたはフェライトコアとも呼ばれる。磁性体コア１２の材質および形状はこれに限らない。磁性体コア１２に電線が巻き付けられることで、電線と磁性体コア１２はコイルを構成する。このコイルは、高周波ノイズを減衰させるフィルタとして機能する。また、電線を流れるノイズ電流の一部は、磁気損失としてエネルギーを失う。これにより、さらにノイズ除去の効果が向上する。
【００２１】
本実施の形態では第１入力配線８と第２入力配線９を磁性体コア１２に巻き付けることで、外部電源から侵入するノイズを抑制できる。なお、第１入力配線８と第２入力配線９を同方向で磁性体コア１２に巻き付けることで、ノイズ抑制の効果が打ち消し合うことを防止できる。
【００２２】
図３は、実施の形態１に係る照明器具１の正面図である。放熱フィン３の第２面３ｂには、固定部材１３が設けられる。固定部材１３は固定台とも呼ばれる。固定部材１３はＬ字型である。固定部材１３は、第１部分１３ａと第２部分１３ｂとを有する。第１部分１３ａは、第２面３ｂから第１面３ａと離れる方向に延びる。第１部分１３ａは、第２面３ｂと垂直に伸びる。これに限らず、第１部分１３ａは第２面３ｂに対して傾いていても良い。
【００２３】
第１部分１３ａは第２部分１３ｂから延びる。第２部分１３ｂは、第２面３ｂに沿って延びる。第１電源装置６は、第２部分１３ｂの上に設けられる。固定部材１３は、第１電源装置６と放熱フィン３との間に挟み込まれる。固定部材１３は、ネジ等で放熱フィン３または第１電源装置６に固定されている。
【００２４】
磁性体コア１２は、第１部分１３ａに固定される。図２に示されるように、磁性体コア１２からは接続部２０が延びる。接続部２０と第１部分１３ａは固定具２１で互いに固定される。固定具２１は例えばネジである。磁性体コア１２は、第１部分１３ａのうち、第２部分１３ｂと反対側の端部に固定される。このように、固定部材１３は、磁性体コア１２を放熱フィン３から離して保持する。
【００２５】
第１電源装置６および第１光源２ａで発生した熱は放熱フィン３へと伝わる。ここで、本実施の形態では、磁性体コア１２は放熱フィン３と接触しない。このため、放熱フィン３からの熱が磁性体コア１２へ伝わるのを抑制できる。従って、磁性体コア１２の温度上昇を抑制できる。これにより、磁性体コア１２によるノイズ低減の効果を有効に発揮させることができる。
【００２６】
また、磁性体コア１２は、第１電源装置６および第２電源装置７と離れて設けられる。このため、第１電源装置６および第２電源装置７からの熱が磁性体コア１２へ伝わるのを抑制できる。従って、磁性体コア１２の温度上昇をさらに抑制できる。
【００２７】
さらに、第１電源装置６は、第１部分１３ａに対して磁性体コア１２と反対側に設けられる。つまり、第１電源装置６と磁性体コア１２は、第１部分１３ａで隔てられる。このため、第１電源装置６からの熱が磁性体コア１２へ伝わるのを抑制でき、磁性体コア１２の温度上昇をさらに抑制できる。
【００２８】
また、固定部材１３は、放熱フィン３よりも熱伝導率が低い。放熱フィン３は例えばアルミから形成される。これに対し、固定部材１３は、例えば鉄から形成される。これにより、放熱フィン３からの熱が固定部材１３に伝わりにくくなるため、磁性体コア１２の温度上昇をさらに抑制できる。
【００２９】
また、本実施の形態によれば、小型で簡易な構造の固定部材１３により、磁性体コア１２の温度上昇を抑制できる。従って、磁性体コア１２の温度上昇を抑制するために、照明器具１が大型化することを抑制できる。また、照明器具１の組み立て工程が複雑化することを抑制できる。従って、ノイズ低減の効果を維持しつつ、小型で組立性が良い照明器具１を得ることができる。
【００３０】
また、本実施の形態では磁性体コア１２を冷却するために導風路を設ける必要がない。このため、第１電源装置６、第２電源装置７および磁性体コア１２がケース４ａに収納されていても、磁性体コア１２の温度上昇を抑制できる。
【００３１】
固定部材１３の形状は、図３に示したものに限らない。固定部材１３は、磁性体コア１２を放熱フィン３から離して保持できれば良い。例えば、固定部材１３は、第２電源装置７と放熱フィン３との間に挟み込まれても良い。また、固定部材１３は、第１電源装置６と放熱フィン３の間および第２電源装置７と放熱フィン３の間の両方で挟み込まれても良い。この場合、固定部材１３は例えばＴ字型である。また、固定部材１３は、磁性体コア１２を光源２、他の電子部品または発熱体から離して保持しても良い。また、一つの固定部材１３に複数の磁性体コア１２が固定されても良い。
【００３２】
また、本実施の形態では、磁性体コア１２は第２面３ｂと対向するように固定部材１３に保持される。つまり、磁性体コア１２の軸が第２面３ｂと垂直になるように、磁性体コア１２は保持される。これに限らず、磁性体コア１２は、磁性体コア１２の軸が第２面３ｂと平行になるように保持されても良い。また、磁性体コア１２は第２面３ｂに対して傾いて保持されても良い。
【００３３】
また、本実施の形態では、第１入力配線８と第２入力配線９が１つの磁性体コア１２に巻き付けられる。このため、第１入力配線８と第２入力配線９を別の磁性体コアに巻き付ける場合よりも、磁性体コア１２の数量を削減できる。なお、第１入力配線８と第２入力配線９を磁性体コア１２に同じ方向で巻き付けることで、第１入力配線８と第２入力配線９を別の磁性体コアに巻き付ける場合と同様のノイズ抑制効果が得られる。
【００３４】
磁性体コア１２への巻数は、電源装置４の出力電力に応じて自由に設定できる。磁性体コア１２への巻数は、例えば電源装置４の出力電力または出力電流が高いほど大きく設定されても良い。
【００３５】
また、本実施の形態の照明器具１には、２つの光源と２つの電源装置が設けられた。これに限らず、照明器具１には光源と電源装置がそれぞれ１つ以上設けられれば良い。
【００３６】
図４は、実施の形態１の第１の変形例に係る照明器具２０１の平面図である。照明器具２０１では、第１電源装置６と第１光源２ａとを接続する第１出力配線１０が磁性体コア１２に巻き付けられる。また、第２電源装置７と第２光源２ｂとを接続する第２出力配線１１が磁性体コア１２に巻き付けられる。第１出力配線１０と第２出力配線１１は、磁性体コア１２に同方向で巻き付けられる。この構成によれば、光源２への配線に侵入するノイズを抑制できる。第１の変形例は、特に光源２への配線に侵入するノイズが大きい場合に有効である。
【００３７】
図５は、実施の形態１の第２の変形例に係る照明器具３０１の平面図である。照明器具３０１は、複数の磁性体コア１２ａ、１２ｂを備える。固定部材１３には、複数の磁性体コア１２ａ、１２ｂが固定される。これに限らず、複数の磁性体コア１２ａ、１２ｂの各々に、別個に固定部材１３が設けられても良い。
【００３８】
磁性体コア１２ａには、第１入力配線８と第２入力配線９が同方向で巻き付けられる。磁性体コア１２ｂには、第１出力配線１０と第２出力配線１１が同方向で巻き付けられる。このような構成によれば、照明器具１、２０１よりもノイズ低減の効果を向上できる。
【００３９】
図６は、妨害波電力のノイズ測定の結果の一例を説明する図である。ノイズ測定は、国際規格ＣＩＳＰＲ（Ｃｏｍｉｔｅ  ｉｎｔｅｒｎａｔｉｏｎａｌ  Ｓｐｅｃｉａｌ  ｄｅｓ  Ｐｅｒｔｕｒｂａｔｉｏｎｓ  Ｒａｄｉｏｅｌｅｃｔｒｉｑｕｅｓ）１５「電気照明及び類似機器の無線妨害波特性の許容値及び測定法」に準拠して測定した。図６における比較例のグラフは、１つの磁性体コア１２に１つの配線を巻きつけた照明器具でのノイズ測定の結果を示している。つまり、比較例では、第１入力配線８、第２入力配線９、第１出力配線１０および第２出力配線１１は、別個の磁性体コア１２に巻き付けられる。比較例のグラフにおいて、実線８１は測定結果のピーク値を示し、実線８２はノイズの限度値を示す。限度値は準尖頭値（ＱＰ値）である。
【００４０】
これに対し、第２の変形例では、第１入力配線８と第２入力配線９が１つの磁性体コア１２ａに巻き付けられる。また、第１出力配線１０と第２出力配線１１は１つの磁性体コア１２ｂに巻き付けられる。第２の変形例のグラフにおいて、実線８３は測定結果のピーク値を示し、実線８４はノイズの限度値の準尖頭値を示す。なお、実線８１、８３に示される測定結果のピーク値が、実線８２、８４に示されるノイズの準尖頭値を超えた周波数において、ピーク値および準尖頭値の再測定を行った。再測定により、測定した準尖頭値が実線８２、８４に示されるノイズの準尖頭値以下であることが確認された。
【００４１】
比較例と第２の変形例では、ノイズのレベルは同等である。従って、１つの磁性体コア１２に複数の電源装置からの電線を巻き付けても、比較例と同様の効果が得られることが分かる。このように本実施の形態では、複数の電源装置を備える照明器具１において、ノイズ抑制の効果を維持しつつ、磁性体コアの数を減らして照明器具１を小型化できる。
【００４２】
一般に、フェライトリングは、配線の巻回のための空間が必要なため、他の電子部品と比較して大きな設置面積を占有する。このため、複数の磁性体コア１２を設けると、電子機器の小型化を阻害するおそれがある。これに対し、本実施の形態では、１つの磁性体コア１２に複数の電源装置からの電線を巻き付ける。従って、磁性体コア１２による照明器具１の大型化を抑制できる。これらの変形は、以下の実施の形態に係る照明器具について適宜応用することができる。なお、以下の実施の形態に係る照明器具については実施の形態１との共通点が多いので、実施の形態１との相違点を中心に説明する。
【００４３】
実施の形態２．
図７は、実施の形態２に係る照明器具４０１の平面図である。照明器具４０１は、第１電源装置６と第２電源装置７の外周部に複数のポール１４が設けられる点が照明器具３０１と異なる。ポール１４の一部は、第１電源装置６において第１基板６ｃの外側に設けられる。また、ポール１４の一部は第１電源装置６において、第１入力端子６ａおよび第１出力端子６ｂよりも外側に設けられる。同様に、ポール１４の一部は第２電源装置７において、第２基板７ｃの外側に設けられる。また、ポール１４の一部は第２電源装置７において、第２入力端子７ａおよび第２出力端子７ｂよりも外側に設けられる。
【００４４】
第１入力配線８は、入力部５からポール１４の外側を通って、磁性体コア１２ａに至る。また、第１入力配線８は、磁性体コア１２ａからポール１４の外側を通って第１入力端子６ａに至る。同様に、第２入力配線９は、入力部５からポール１４の外側を通って、磁性体コア１２ａに至る。また、第２入力配線９は、磁性体コア１２ａからポール１４の外側を通って第２入力端子７ａに至る。
【００４５】
第１出力配線１０は、磁性体コア１２ｂからポール１４の外側を通って第１光源２ａに至る。第２出力配線１１は、第２出力端子７ｂからポール１４の外側を通って磁性体コア１２ｂに至る。また、第２出力配線１１は、磁性体コア１２からポール１４の外側を通って第２光源２ｂに至る。
【００４６】
ノイズは、第１電源装置６および第２電源装置７から放射され、配線に伝わる場合がある。これに対し本実施の形態では、ポール１４を用いて、電源装置４の外周部を経由して配線を接続する。従って、第１電源装置６および第２電源装置７から配線に伝わる放射ノイズを抑制できる。本実施の形態は、特に電源装置４の周波数が高い場合に効果が期待できる。
【００４７】
なお、ポール１４の数および設置場所は、照明器具４０１または電源装置４の形状に合わせて自由に設定できる。また、ポール１４の形状は問わない。ポール１４は、第１電源装置６または第２電源装置７の外周部を通るように配線を配置できれば良い。
【００４８】
実施の形態３．
図８は、実施の形態３に係る照明器具５０１の平面図である。照明器具５０１は信号入力部１５を備える。信号入力部１５には、外部から信号が入力される。電源装置４は、信号入力部１５を介して外部との通信が可能である。
【００４９】
第１基板６ｃには、第１信号入力端子６ｄが設けられる。第１信号線１６は、第１信号入力端子６ｄと信号入力部１５とを接続する。第１電源装置６の第１制御部は、第１信号入力端子６ｄから入力される信号に応じて第１点灯回路を制御する。
【００５０】
第２基板７ｃには、第２信号入力端子７ｄが設けられる。第２信号線１７は、第２信号入力端子７ｄと信号入力部１５とを接続する。第２電源装置７の第２制御部は、第２信号入力端子７ｄから入力される信号に応じて第２点灯回路を制御する。
【００５１】
第１信号線１６と第２信号線１７は、磁性体コア１２に同方向で巻き付けられる。
【００５２】
ノイズは信号線にも重畳される場合がある。これに対し本実施の形態では、信号線を伝搬するノイズを抑制できる。本実施の形態は、特に電源装置４が高速で通信する場合に有効である。
【００５３】
また、各実施の形態で説明した技術的特徴は適宜に組み合わせて用いてもよい。
【符号の説明】
【００５４】
１  照明器具、２  光源、２ａ  第１光源、２ｂ  第２光源、３  放熱フィン、３ａ  第１面、３ｂ  第２面、４  電源装置、４ａ  ケース、５  入力部、６  第１電源装置、６ａ  第１入力端子、６ｂ  第１出力端子、６ｃ  第１基板、６ｄ  第１信号入力端子、７  第２電源装置、７ａ  第２入力端子、７ｂ  第２出力端子、７ｃ  第２基板、７ｄ  第２信号入力端子、８  第１入力配線、９  第２入力配線、１０  第１出力配線、１１  第２出力配線、１２、１２ａ、１２ｂ  磁性体コア、１３  固定部材、１３ａ  第１部分、１３ｂ  第２部分、１４  ポール、１５  信号入力部、１６  第１信号線、１７  第２信号線、２０  接続部、２１  固定具、２０１、３０１、４０１、５０１  照明器具
【図１】
2020202161.tif 000003
【図２】
2020202161.tif 000004
【図３】
2020202161.tif 000005
【図４】
2020202161.tif 000006
【図５】
2020202161.tif 000007
【図６】
2020202161.tif 000008
【図７】
2020202161.tif 000009
【図８】
2020202161.tif 000010